(57)【特許請求の範囲】
【請求項１】
ミキサの混合槽の底部に混合物排出用の排出ゲートを開口し、該排出ゲートの側縁に回動自在に配設したゲート蓋にて前記排出ゲートを開閉するように構成したミキサの排出ゲートにおいて、前記排出ゲートとゲート蓋の周縁部のうち少なくとも一方には耐摩耗性の弾性材を備えると共に、ゲート蓋の閉動作に伴ってゲート蓋周縁部で排出ゲート周縁部の付着物を掻き取りかつ混合槽内方へ押し込んでいくように排出ゲートとゲート蓋の周縁部を傾斜構造としたことを特徴とするミキサの排出ゲート。
【発明の詳細な説明】
【０００１】
【発明の属する技術分野】
本発明は、各種材料を投入して混合調整するミキサの排出ゲートに関し、特に閉鎖時のシール性能に優れたミキサの排出ゲートに関する。
【０００２】
【従来の技術】
各種材料を混合調整するのに、一般的にミキサが使用されている。例えば、生コンクリートを製造するような場合では、砂利、砂、セメント、及び混和剤などのコンクリート材料を水と共に二軸式ミキサなどへ投入し、所定時間混合撹拌して生コンクリートを製造するようにしている。そして、生コンクリートが練り上がれば混合槽底部の排出ゲートを閉鎖しているゲート蓋を回動させ、排出ゲートを開放して混合槽内の生コンクリートを排出した後、再度ゲート蓋を元の位置へ回動させて排出ゲート内へ嵌め込んで閉鎖し、次回の生コンクリートの製造に備えるようにしている。
【０００３】
【発明が解決しようとする課題】
しかしながら、生コンクリートなどの混合物を排出した直後の排出ゲート周縁部には少なからず混合物の付着が生じており、それら付着物を除去せずにそのままゲート蓋を閉鎖しようとすれば、当然排出ゲートとゲート蓋との間で付着物を噛み込んでしまうため十分なシールができず、最悪の場合には混合中に材料の漏洩が生じてしまうおそれがあった。また、混合物を排出する度に排出ゲート周縁部を清掃するという方法もあるにはあるが、生コンクリートを製造する場合のように出荷スピードを要求されることも少なくなく、また甚だ面倒でもあり、実際には進んで採用はされにくい。
【０００４】
本発明は上記の点に鑑み、ゲート蓋の閉動作に伴って排出ゲート周縁部の付着物を除去し、排出ゲートを隙間なく閉鎖することができるミキサの排出ゲートを提供することを課題とする。
【０００５】
【課題を解決するための手段】
本発明は上記の課題を解決するために、ミキサの混合槽の底部に混合物排出用の排出ゲートを開口し、該排出ゲートの側縁に回動自在に配設したゲート蓋にて前記排出ゲートを開閉するように構成したミキサの排出ゲートにおいて、前記排出ゲートとゲート蓋の周縁部のうち少なくとも一方には耐摩耗性の弾性材を備えると共に、ゲート蓋の閉動作に伴ってゲート蓋周縁部で排出ゲート周縁部の付着物を掻き取りかつ混合槽内方へ押し込んでいくように排出ゲートとゲート蓋の周縁部を傾斜構造としたことを特徴としている。
【０００６】
【発明の実施の形態】
本発明のミキサの排出ゲートによれば、ゲート蓋を回動して開放させた排出ゲートから混合物を排出した後、再度ゲート蓋を元の位置に回動させて排出ゲートを閉鎖する際、傾斜構造としたゲート蓋周縁部は同様に傾斜構造とした排出ゲート周縁部表面へ沿って摺動しながら、かつ漸次押圧していくように閉鎖していく。このため、排出ゲート周縁部に付着した混合物は、ゲート蓋周縁部によって強い剪断作用を受け、残らず掻き取られて混合槽内方へと押し込まれていく。したがって、ゲート蓋の閉動作完了時には、付着物は全て除去されていて噛み込みなどはなく、またそれに加えて排出ゲートとゲート蓋の周縁部のうち少なくとも一方に備えた耐摩耗性の弾性材による圧密効果によって確実に排出ゲートは閉鎖される。
【０００７】
このように、ごくシンプルな構造でありながら、混合物排出後に行うゲート蓋の閉動作だけで排出ゲート周縁部の付着物を完全に除去することができ、その結果排出ゲートと排出ゲート間の確実なシールを実現し、混合中に混合物が漏洩するようなおそれはない。
【０００８】
【実施例】
以下、本発明の実施例を図面に基づいて説明する。
【０００９】
図中の１は、例えば、砂利、砂、セメント、及び混和剤などのコンクリート材料を水と共に混合調整して生コンクリートを製造するのに使用する二軸式ミキサであって、二双の胴より成る混合槽２内に二本の平行な混合軸３、３´を貫通し、混合槽２に固定した軸受（図示せず）により回転自在に支持し、駆動用モータ（図示せず）にて各混合軸３、３´をそれぞれ図中の矢印で示す方向に回転するようにしている。また、前記混合軸３、３´には複数のアーム４を放射状に配設すると共に、該アーム４の先端部には材料を混合、及び造粒するためのブレード５を固定ボルト６で螺着している。
【００１０】
なお、本実施例ではミキサとして二軸式ミキサをあげて説明するが、何らこれに限定するものではなく、例えば、一軸式のミキサなどにでも同様に採用することができる。
【００１１】
前記混合槽２の底部中央には混合軸３、３´と平行に混合物排出用の排出ゲート７を開口していると共に、該排出ゲート７内に嵌め込んで排出ゲート７を閉鎖するゲート蓋８を排出ゲート７側縁に回動自在に配設しており、該ゲート蓋８近傍に備えたシリンダ（図示せず）のピストンロッドの伸縮駆動に応じて、図２中の矢印にて示すようにゲート蓋８を回動させ、排出ゲート７を開閉するようにしている。
【００１２】
一方、混合槽２の内壁には耐摩耗性のライナ９、９´を貼りめぐらし、ゲート蓋８の上部にも山形状のライナ１０を固着していると共に、混合槽２の内壁とライナ９´との間、及びゲート蓋８とライナ１０との間には、それぞれ所定厚さの耐摩耗性ゴム１１、１２を挟持させており、排出ゲート７の周縁部には耐摩耗性ゴム１１の縁面が、またゲート蓋８の周縁部には耐摩耗性ゴム１２の縁面がそれぞれあらわれる構造としている。
【００１３】
また、排出ゲート７とゲート蓋８の周縁部は、拡大断面図である図２からも分かるように傾斜構造としており、ゲート蓋８の閉動作時にはゲート蓋８の周縁部が排出ゲート７の周縁部表面に沿って摺動しながら、かつ漸次押圧していくような構造となっている。
【００１４】
しかして、前記二軸式ミキサ１にて、例えば、各種コンクリート材料を水と共に混合調整して生コンクリートを製造した後、ゲート蓋８を開動作させて排出ゲート７を開放して生コンクリートを排出し、清掃作業などすることなくそのままの状態でゲート蓋８を閉動作させる。このとき、生コンクリートの排出によって排出ゲート７の周縁部には生コンクリートの一部が付着しているが、ゲート蓋８の閉動作に伴い、ゲート蓋８の周縁部が排出ゲート７の周縁部表面に沿って摺動しながら、かつ漸次押圧していくことにより、排出ゲート７周縁部に付着した生コンクリートは強い剪断作用を受けて残らず掻き取られると共に、掻き取られた付着物は混合槽２内方へと押し込まれていく。こうして、ゲート蓋８の閉鎖が完了したときには、排出ゲート７周縁部とゲート蓋８周縁部との隙間には生コンクリートなどが噛み込むこともなく、またそれに加えて耐摩耗性ゴム１１、１２による圧密効果によって確実にシールを図ることができる。
【００１５】
このように、生コンクリートなどの混合物を排出した際に排出ゲート７の周縁部にその一部が付着していたとしても、生コンクリート排出後に行うゲート蓋８の閉動作に伴って自動的に排出ゲート７周縁部の清掃が行われるため、別途清掃作業などをせずとも排出ゲート７とゲート蓋８とのシールを確実に図れ、次回の生コンクリートの混合中に排出ゲート７とゲート蓋８との隙間からコンクリート材料などが漏洩するようなおそれはない。また、構造が非常にシンプルであるため、低コストで実施することができると共に、既設の装置に対しても簡単に改造を行うことができる。
【００１６】
なお、本実施例においては、耐摩耗性ゴム１１、１２は、それぞれ混合槽２とライナ９´との間、及びゲート蓋８とライナ１０との間に挟持させるようにしたが、必ずしもこの通りにする必要はなく、例えば、ライナ９´、１０の周縁部表面に耐摩耗性ゴムを直接固着するようにしても良い。また、本実施例においては、耐摩耗性の弾性材としてゴムを採用したが、これに限定するものではなく、例えば、弾性力のある高分子樹脂などでも良く、要は押圧による圧密を利用してシールを図れるものであればよい。
【００１７】
また、本実施例では生コンクリート製造用のミキサの排出ゲートに基づいて説明したが、何らこれに限定するものではなく、例えば高分子材料や食材などあらゆる混合物を混合調整するミキサの排出ゲートに対しても同様に採用することができる。
【００１８】
【発明の効果】
以上のように本発明のミキサの排出ゲートによれば、ミキサの混合槽の底部に混合物排出用の排出ゲートを開口し、該排出ゲートの側縁に回動自在に配設したゲート蓋にて前記排出ゲートを開閉するように構成したミキサの排出ゲートにおいて、前記排出ゲートとゲート蓋の周縁部のうち少なくとも一方には耐摩耗性の弾性材を備えると共に、ゲート蓋の閉動作に伴ってゲート蓋周縁部で排出ゲート周縁部の付着物を掻き取りかつ混合槽内方へ押し込んでいくように排出ゲートとゲート蓋の周縁部を傾斜構造としたので、ゲート蓋の閉動作だけで排出ゲート周縁部の付着物を完全に取り除け、別途清掃作業などをせずとも排出ゲートを確実に閉鎖することができる。
【図面の簡単な説明】
【図１】本発明に係るミキサの一実施例を示す説明図である。
【図２】図１の要部拡大図である。
【図３】従来のミキサの図２に相当する図である。
【符号の説明】
１…ミキサ                        ２…混合槽
７…排出ゲート                    ８…ゲート蓋
１１、１２…耐摩耗性ゴム
【図１】
0004206220.tif 000002
【図２】
0004206220.tif 000003
【図３】
0004206220.tif 000004